(57)【要約】【課題】クーラントからゴミを良好に分離できると共にゴミが詰まるのを防止できるトルネード式ゴミ回収装置を提供する。【解決手段】ダーティータンク４が、断面円形に形成されると共に、下方に向かうにつれてすり鉢状に縮径する傾斜底部７を有し、ダーティータンク４の下端には、ダーティークーラントを取り出すためのダーティー流路８が接続され、ダーティー流路８には、ダーティータンク４内に渦流を発生させるようにダーティータンク４からクーラントを吸い込む渦用ポンプ１２が接続されたものである。【選択図】図１
2016132064.tif 000002
【特許請求の範囲】
【請求項１】
金属加工機にクーラントを供給し、その金属加工機から排出されたクーラントをマグネットセパレータに導入して金属ゴミを分離すると共に金属ゴミを分離したクーラントをダーティータンクに導入し、前記ダーティータンクでクーラントをダーティークーラントとクリーンクーラントに分離すると共に、ダーティークーラントを前記マグネットセパレータに導入し、クリーンクーラントをクリーンタンクを介して前記金属加工機に供給するためのトルネード式ゴミ回収装置であって、
前記ダーティータンクが、断面円形に形成されると共に、下方に向かうにつれてすり鉢状に縮径する傾斜底部を有し、前記ダーティータンクの下端には、ダーティークーラントを取り出すためのダーティー流路が接続され、前記ダーティー流路には、前記ダーティータンク内に渦流を発生させるように前記ダーティータンクからクーラントを吸い込む渦用ポンプが接続されたことを特徴とするトルネード式ゴミ回収装置。
【請求項２】
前記傾斜底部は、水平面に対して４０度以上５０度以下の角度で傾斜する請求項１に記載のトルネード式ゴミ回収装置。
【請求項３】
前記ダーティータンクの傾斜底部の上部には、クリーンクーラントを取り出すためのクリーン流路が接続された請求項１又は２に記載のトルネード式ゴミ回収装置。
【発明の詳細な説明】
【技術分野】
【０００１】
本発明は、金属加工機から排出されるクーラントから金属ゴミ等のゴミを回収するトルネード式ゴミ回収装置に関するものである。
【背景技術】
【０００２】
金属加工機から排出されるクーラントから金属ゴミ等のゴミを回収するトルネード式ゴミ回収装置としては、クーラントから金属ゴミを磁力で分離するマグネットセパレータと、マグネットセパレータで金属ゴミを回収した後のクーラントからゴミを更に分離するダーティータンクとを備えたものが知られている。
【０００３】
図３に示すように、ダーティータンク２０は、下方に向かうにつれて縮径する断面円形に形成されている。ダーティータンク２０内には、ガイド筒２１が開口２２をタンク底部２０ａに近接させて設けられており、ガイド筒２１内には、吸引ポンプ２３が設けられている。ガイド筒２１とタンク底部２０ａとの間のクリアランスを小さくすることでタンク底部２０ａでの吸引力が大きくなり、タンク底部２０ａに溜まったゴミが重いものであっても吸引できる。
【先行技術文献】
【特許文献】
【０００４】
【特許文献１】実開平０６−０１７８４５号公報
【特許文献２】特開２００２−１０３１７２号公報
【発明の概要】
【発明が解決しようとする課題】
【０００５】
ところで、前述の吸引ポンプ２３は、ガイド筒２１とタンク底部２０ａとの間のクリアランスを小さくすることで必要な吸引力を得るものであるため、ガイド筒２１とタンク底部２０ａとの間にゴミが詰まり易いという問題があった。特に、タンク底部２０ａに溜まったゴミは、ダーティータンク２０内で互いに引っかかり、絡まりながら大きくなり易いため、ガイド筒２１とタンク底部２０ａとの間に詰まり易い。
【０００６】
また、タンク底部２０ａのゴミは大きな吸引力でガイド筒２１内に吸い込まれるため、吸引時の勢いで吸引ポンプ２３の吸込口２４より上方の位置に移動することがある。かかる位置には、吸引ポンプ２３の吸引力が及ばない部分もあり、この部分に浮上したゴミは回収できなくなる可能性もあった。
【０００７】
本発明の目的は、クーラントからゴミを良好に分離できると共にゴミが詰まるのを防止できるトルネード式ゴミ回収装置を提供することにある。
【課題を解決するための手段】
【０００８】
上述の目的を達成するため、本発明は、金属加工機にクーラントを供給し、その金属加工機から排出されたクーラントをマグネットセパレータに導入して金属ゴミを分離すると共に金属ゴミを分離したクーラントをダーティータンクに導入し、前記ダーティータンクでクーラントをダーティークーラントとクリーンクーラントに分離すると共に、ダーティークーラントを前記マグネットセパレータに導入し、クリーンクーラントをクリーンタンクを介して前記金属加工機に供給するためのトルネード式ゴミ回収装置であって、前記ダーティータンクが、断面円形に形成されると共に、下方に向かうにつれてすり鉢状に縮径する傾斜底部を有し、前記ダーティータンクの下端には、ダーティークーラントを取り出すためのダーティー流路が接続され、前記ダーティー流路には、前記ダーティータンク内に渦流を発生させるように前記ダーティータンクからクーラントを吸い込む渦用ポンプが接続されたものである。
【発明の効果】
【０００９】
本発明のトルネード式ゴミ回収装置によれば、クーラントからゴミを良好に分離できると共にゴミが詰まるのを防止できる。
【図面の簡単な説明】
【００１０】
【図１】本発明の一実施の形態に係るトルネード式ゴミ回収装置の要部拡大図である。
【図２】トルネード式ゴミ回収装置の全体説明図である。
【図３】従来のクーラントゴミ回収装置の要部拡大図である。
【発明を実施するための形態】
【００１１】
以下、本発明の好適な実施の形態を添付図面にしたがって説明する。
【００１２】
図２に示すように、トルネード式ゴミ回収装置１は、研磨機、旋盤等の金属加工機２に接続され金属加工機２から排出された水等からなるクーラントから金属ゴミを分離するマグネットセパレータ３と、マグネットセパレータ３から排出されたクーラントをダーティークーラントとクリーンクーラントに分離すると共にダーティークーラントをマグネットセパレータ３に供給するダーティータンク４と、ダーティータンク４から排出されたクリーンクーラントを収容すると共に金属加工機２に供給するクリーンタンク５とを備える。
【００１３】
図１に示すように、ダーティータンク４は、断面円形に形成されている。より具体的には、ダーティータンク４は、上下に延びる筒状に形成された筒状側壁部６と、筒状側壁部６の下端に一体に接続され下方に向かうにつれてすり鉢状に縮径する傾斜底部７とを備える。傾斜底部７は、水平面に対して４５度の角度θで傾斜している。ただし、水平面に対する傾斜底部７の角度θは、４０度以上５０度以下の範囲であってもよい。
【００１４】
また、ダーティータンク４には、ダーティークーラントを取り出すためのダーティー流路８がダーティータンク４の下端かつ中心軸上に吸込み口９を位置させて接続されると共に、クリーンクーラントを取り出すためのクリーン流路１０がダーティータンク４の傾斜底部７の上部に吸込み口１１を位置させて接続されている。
【００１５】
ダーティー流路８には、ダーティータンク４内に渦流を発生させるようにダーティータンク４からクーラントを吸い込む渦用ポンプ１２が接続されている。
【００１６】
渦用ポンプ１２は、ダーティータンク４内のクーラントを吸引することで地球の自転によるコリオリの力で渦流を発生させる。また、渦用ポンプ１２は、渦流の中心がダーティータンク４の下端近傍まで窪む程度に強力にクーラントを吸引する。
【００１７】
図２に示すように、クリーン流路１０には、ダーティータンク４からクリーンクーラントを吸い込んでクリーンタンク５に供給するためのタンク間ポンプ１３が設けられると共にクリーンタンク５が設けられている。クリーン流路１０は金属加工機２にクリーンタンク５を介して接続されており、金属加工機２にクリーンクーラントを供給するようになっている。
【００１８】
次に本実施の形態の作用を述べる。
【００１９】
金属加工機２から排出されたクーラントは、マグネットセパレータ３に供給される。マグネットセパレータ３では、クーラントに含まれる金属ゴミを磁力で吸着して回収する。このようにして金属ゴミが取り除かれたクーラントは、ダーティータンク４に供給される。このとき、ダーティータンク４に供給されるクーラントには、回収しきれなかった金属ゴミ等のゴミが多少含まれている。
【００２０】
ダーティータンク４では、クーラントが渦用ポンプ１２で吸い込まれることにより、渦流が発生している。渦流は、ダーティータンク４の中心軸を中心として回転するものであり、中心がダーティータンク４の下端近傍まで窪んでいる。マグネットセパレータ３からのクーラントは、ダーティータンク４の中心から若干ずれた位置に上方から供給される。
【００２１】
ダーティータンク４内では、金属等からなる重いゴミは自重によって沈むと共に傾斜底部７の傾斜に沿ってタンク中央の吸込み口９に集まり、吸込み口９からダーティー流路８に排出される。また、ダーティークーラント中で浮上する軽いゴミは、渦流によって中心に集められて吸込み口９の近傍に集まり、吸込み口９からダーティー流路８に排出される。ダーティー流路８に吸い込まれたダーティークーラントは、マグネットセパレータ３に再度供給され、ダーティークーラントに含まれる金属ゴミが更に回収される。
【００２２】
また、ダーティータンク４内の重いゴミ及び軽いゴミがタンク中央底部に集まることから、ダーティータンク４の外周側に位置されるクリーン流路１０の吸込み口１１には、ゴミが極めて少ないクリーンなクーラントが吸い込まれる。クリーン流路１０に吸い込まれたクリーンクーラントは、クリーンタンク５を介して金属加工機２に供給される。
【００２３】
このように、ダーティータンク４が、断面円形に形成されると共に、下方に向かうにつれてすり鉢状に縮径する傾斜底部７を有し、ダーティータンク４の下端には、ダーティークーラントを取り出すためのダーティー流路８が接続され、ダーティー流路８には、ダーティータンク４内に渦流を発生させるようにダーティータンク４からクーラントを吸い込む渦用ポンプ１２が接続されるものとしたため、ゴミが詰まり易いガイド筒２１（図３参照）をなくすことができ、ゴミが詰まるのを防ぐことができる。そして、ガイド筒２１がないため、ダーティータンク４内の状態を容易に目視確認できる。また、クーラント内で浮上したゴミも渦に巻き込んでタンク中央底部に位置するダーティー流路８の吸込み口９近傍に集めることができ、容易に回収できる。またさらに、ダーティータンク４内にゴミが溜まるのを防ぐことができ、クーラントの寿命延長を図ることができると共に、クーラントを交換するときのタンク清掃の手間を軽減することができる。
【００２４】
傾斜底部７は、水平面に対して４０度以上５０度以下の角度θで傾斜するものとしたため、金属ゴミ等の重いゴミを良好にタンク中央に集めることができる。
【００２５】
ダーティータンク４の傾斜底部７の上部には、クリーンクーラントを取り出すためのクリーン流路１０が接続されるものとしたため、ダーティータンク４内からゴミが極めて少ないクーラントを確実に取り出すことができる。
【符号の説明】
【００２６】
１  トルネード式ゴミ回収装置
２  金属加工機
３  マグネットセパレータ
４  ダーティータンク
５  クリーンタンク
７  傾斜底部
８  ダーティー流路
１２  渦用ポンプ
【図１】
2016132064.tif 000003
【図２】
2016132064.tif 000004
【図３】
2016132064.tif 000005